(57)【要約】【課題】簡単な操作で、両面印刷の集約原稿から、正しい順序で頁単位が並んだ画像データを生成できる画像処理装置を提供する。【解決手段】設定処理部２１０は、複数の頁単位が１つの頁に集約された両面印刷の集約原稿に関する情報を設定する。画像データ生成処理部２３０は、設定された情報に基づいて頁単位の順序を決定し、決定された順序に基づいて頁単位を並び替えて各頁単位を１つの頁とする画像データを生成する。【選択図】図２
2014045327.tif 000002
【特許請求の範囲】
【請求項１】
複数の頁単位が１つの頁に集約された両面印刷の集約原稿に関する情報を設定する設定手段と、
設定された情報に基づいて頁単位の順序を決定し、決定された順序に基づいて頁単位を並び替えて各頁単位を１つの頁とする画像データを生成する画像データ生成手段と
を有する画像処理装置。
【請求項２】
前記設定手段は、集約画像を頁単位に分割する分割数と、１つの集約画像における頁単位の配列順と、集約原稿の綴じ位置とを設定し、
前記画像データに生成手段は、設定された分割数と配列順と綴じ位置とに基づいて、各頁単位を１つの頁とする画像データを生成する
請求項１に記載の画像処理装置。
【請求項３】
前記画像データ生成手段は、頁単位を並べ替えるときに、頁単位の上下を反転させる
請求項１に記載の画像処理装置。
【請求項４】
複数の頁単位が１つの頁に集約された両面印刷の集約原稿に関する情報を設定する設定手段と、
設定された情報に基づいて頁単位の順序を決定し、決定された順序に基づいて頁単位を並び替えて各頁単位を１つの頁とする画像データに対応する画像を記録媒体に形成する画像形成手段と
を有する画像形成装置。
【請求項５】
複数の頁単位が１つの頁に集約された両面印刷の集約原稿に関する情報を設定する設定ステップと、
設定された情報に基づいて頁単位の順序を決定し、決定された順序に基づいて頁単位を並び替えて各頁単位を１つの頁とする画像データを生成する生成ステップと
をコンピュータに実行させるプログラム。
【発明の詳細な説明】
【技術分野】
【０００１】
本発明は、画像処理装置、画像形成装置およびプログラムに関する。
【背景技術】
【０００２】
特許文献１は、画像データを原画像の各領域に対応して分割し、分割領域単位で個別の書き込み画像データを生成し、得られた画像データを書き込み手段に入力する画像形成装置を開示する。
【先行技術文献】
【特許文献】
【０００３】
【特許文献１】特開２０００−３５００００号公報
【発明の概要】
【発明が解決しようとする課題】
【０００４】
本発明の目的は、簡単な操作で、両面印刷の集約原稿から、正しい順序で頁単位が並んだ画像データを生成できる画像処理装置を提供することである。
【課題を解決するための手段】
【０００５】
請求項１にかかる本発明は、複数の頁単位が１つの頁に集約された両面印刷の集約原稿に関する情報を設定する設定手段と、設定された情報に基づいて頁単位の順序を決定し、決定された順序に基づいて頁単位を並び替えて各頁単位を１つの頁とする画像データを生成する画像データ生成手段とを有する画像処理装置である。
【０００６】
請求項２にかかる本発明は、前記設定手段は、集約画像を頁単位に分割する分割数と、１つの集約画像における頁単位の配列順と、集約原稿の綴じ位置とを設定し、前記画像データに生成手段は、設定された分割数と配列順と綴じ位置とに基づいて、各頁単位を１つの頁とする画像データを生成する請求項１に記載の画像処理装置である。
【０００７】
請求項３にかかる本発明は、前記画像データ生成手段は、頁単位を並べ替えるときに、頁単位の上下を反転させる請求項１に記載の画像処理装置である。
【０００８】
請求項４にかかる本発明は、複数の頁単位が１つの頁に集約された両面印刷の集約原稿に関する情報を設定する設定手段と、設定された情報に基づいて頁単位の順序を決定し、決定された順序に基づいて頁単位を並び替えて各頁単位を１つの頁とする画像データに対応する画像を記録媒体に形成する画像形成手段とを有する画像形成装置である。
【０００９】
請求項５にかかる本発明は、複数の頁単位が１つの頁に集約された両面印刷の集約原稿に関する情報を設定する設定ステップと、設定された情報に基づいて頁単位の順序を決定し、決定された順序に基づいて頁単位を並び替えて各頁単位を１つの頁とする画像データを生成する生成ステップとをコンピュータに実行させるプログラムである。
【発明の効果】
【００１０】
請求項１に係る本発明によれば、本構成を有していない場合と比較して、簡単な操作で、両面印刷の集約原稿から、正しい順序で頁単位が並んだ画像データを生成できる画像処理装置を提供することができる。
【００１１】
請求項２に係る本発明によれば、請求項１に係る本発明により得られる効果に加えて、分割数と、頁単位の配列順と、綴じ位置とに応じて、正しい順序で頁単位が並び替えられた画像データを生成できる。
【００１２】
請求項３に係る本発明によれば、請求項１に係る本発明により得られる効果に加えて、両面印刷の集約原稿から、正しい向きの頁単位が並んだ画像データを生成できる。
【００１３】
請求項４に係る本発明によれば、本構成を有していない場合と比較して、簡単な操作で、両面印刷の集約原稿から、正しい順序で頁単位が並んだ画像を記録媒体に形成できる画像形成装置を提供することができる。
【００１４】
請求項５に係る本発明によれば、本構成を有していない場合と比較して、簡単な操作で、両面印刷の集約原稿から、正しい順序で頁単位が並んだ画像データを生成できるプログラムを提供することができる。
【図面の簡単な説明】
【００１５】
【図１】本実施形態にかかる画像処理装置のハードウェア構成を例示する図である。
【図２】図１に示した画像処理装置において動作する画像処理プログラムである。
【図３】集約原稿を例示する図である。
【図４】設定画面を例示する図である。
【図５】原稿読取処理部及び画像読取装置の処理を示すフローチャートである。
【図６】読取データを例示する図である。
【図７】頁単位読取データの順序入れ替え及び上下反転を説明する図である。
【図８】頁単位読取データの順序入れ替え及び上下反転を説明する図である。
【図９】順序決定テーブル格納部に格納されている順序決定テーブルを例示する図である。
【図１０】順序決定テーブル格納部に格納されている順序決定テーブルを例示する図である。
【図１１】順序決定テーブル格納部に格納されている順序決定テーブルを例示する図である。
【図１２】頁単位順序決定部２３２及び頁単位並び替え部２３６の処理の具体例を説明するための図である。
【図１３】反転決定テーブル格納部に格納されている反転決定テーブルを例示する図である。
【図１４】図１２の例における画像データ生成処理部の処理の流れを説明する図である。
【図１５】製本綴じ原稿を説明するための図である。
【図１６】製本綴じ原稿の場合の順序決定テーブル及び反転決定テーブルを例示する図である。
【発明を実施するための形態】
【００１６】
図１は、本実施形態にかかる画像処理装置１のハードウェア構成を例示する図である。
図１に例示するように、画像処理装置１は、ＣＰＵ等の演算部１０２及びメモリ等の記憶部１０４などを含む制御装置１００と、通信装置１１０と、記録装置１２０と、ＵＳＢメモリ又はＳＤメモリカード等の記録媒体１２２と、ユーザインターフェース装置（ＵＩ装置）１３０と、画像読取装置１４０と、印刷装置１５０とから構成される。
ＵＩ装置１３０は、ＬＣＤ（Liquid Crystal Display）表示装置あるいはＣＲＴ（Cathode Ray Tube）表示装置等の表示装置およびＧＵＩ（Graphical User Interface）等のキーボード・タッチパネルなどを含む。
画像読取装置１４０は、例えばスキャナ等であって、原稿等の記録媒体から画像等を読み取って、例えばビットマップ形式の読取情報に変換する。
印刷装置１５０は、例えばプリンタ等であって、文字データまたは画像データ等を用紙等の記録媒体に印刷する。
【００１７】
つまり、画像処理装置１は、情報処理および他の画像処理装置又は端末との通信が可能なコンピュータとしてのハードウェア構成部分を有している。
また、以下の各図において、実質的に同じ構成部分および処理には同じ番号が付される。
なお、本実施形態において、画像処理装置１は画像読取装置１４０及び印刷装置１５０を有するとしたが、画像処理装置は、画像読取装置及び印刷装置の少なくとも一方を有さない例えばＰＣであってもよく、この場合、画像処理装置は、画像読取装置及び印刷装置の少なくとも一方とＬＡＮ（Local Area Network）等を介して接続されていてもよい。
【００１８】
図２は、図１に示した画像処理装置１において動作する画像処理プログラム２０の構成を示す図である。
画像処理プログラム２０は、たとえば、記憶媒体１２２（図１）又は通信装置１１０を介して画像処理装置１に供給され、記憶部１０４にロードされ、画像処理装置１にインストールされたＯＳ（図示せず）上で、画像処理装置１のハードウェア資源を具体的に利用して実行される。
なお、本実施形態においては、画像処理プログラム２０は、ソフトウェアで実現されるとしているが、画像処理プログラム２０の全部又は一部は、例えばＦＰＧＡ（Field Programmable Gate Array）、画像読取装置１４０又は印刷装置１５０などのハードウェアで実現されてもよい。
【００１９】
図２に示すように、画像処理プログラム２０は、設定処理部２１０、原稿読取処理部２２０、読取データ取得部２２２、画像データ生成処理部２３０、画像データ格納部２６０及び画像形成処理部２６２から構成される。
設定処理部２１０は、設定画面表示部２１２及び設定受付部２１４から構成される。
画像データ生成処理部２３０は、頁単位順序決定部２３２、順序決定テーブル格納部２３４、頁単位並び替え部２３６、上下反転決定部２３８、反転決定テーブル格納部２４０、上下反転部２４２及び画像データ生成部２４４から構成される。
画像処理プログラム２０は、上記の構成部分により、複数の頁単位が集約された集約画像が１つの頁に形成された両面印刷の集約原稿に関する情報を設定する。
さらに、画像処理プログラム２０は、設定された情報に基づいて、頁単位に分割された頁単位の順序を決定し、決定された順序に基づいて頁単位を並び替えて、画像読取装置１４０が集約原稿を読み取って得られた読取データから、各頁単位を１つの頁とする画像データを生成する。
【００２０】
ここで、集約原稿について説明する。
集約原稿とは、主に印刷枚数を削減するため、元々の原稿（元原稿）における複数の頁が１枚の用紙（記録媒体）、つまり１つの頁に集約されて印刷された原稿である。
なお、以下、集約原稿において１つの頁に集約された複数の頁それぞれ（つまり集約される前の元原稿においては１つの頁を構成するもの）を、頁単位と称する。また、頁単位を示す画像を、頁単位画像を称する。
また、以下、複数の頁単位を示す画像が１つの頁に集約された画像を、集約画像と称する。言い換えれば、集約画像には、複数の頁単位画像が含まれる。集約画像は、集約原稿の１つの頁に形成される。
【００２１】
図３（Ａ）には、１枚の用紙に２つの頁（頁単位）が集約された集約原稿が例示されている。
この例では、元原稿では２つの頁であったが、それぞれの頁が縮小され、それら２つの頁単位が、１枚の用紙に集約されて形成されている。
頁単位の向きが縦のものを左から右に並べて集約した場合（つまり左から右に、１頁目、２頁目と配列された場合）、その頁単位の配列順を（頁単位数２の場合の）「順横方向」という。
【００２２】
なお、「頁単位の向き」とは、頁単位を判読（認識）可能な向きに置いた場合の向きである。
例えば、「頁単位の向きが縦」とは、頁単位を縦長に置いた場合（言い換えれば頁単位の長辺を縦向きに、短辺を横向きにした場合）に、その頁単位を判読（認識）可能な向きであることをいう。
また、例えば、「頁単位の向きが横」とは、頁単位を横長に置いた場合（言い換えれば頁単位の長辺を横向きに、短辺を縦向きにした場合）に、その頁単位を判読（認識）可能な向きであることをいう。
【００２３】
頁単位の向きが横のものを上から下に並べて集約した場合、その頁単位の配列順を（頁単位数２の場合の）「順縦方向」という。
頁単位の向きが縦のものを右から左に並べて集約した場合、その頁単位の配列順を（頁単位数２の場合の）「逆横方向」という。
頁単位の向きが横のものを下から上に並べて集約した場合、その頁単位の配列順を（頁単位数２の場合の）「逆縦方向」という。
【００２４】
図３（Ｂ）には、１枚の用紙に４つの頁（頁単位）が集約された集約原稿が例示されている。
この例では、元原稿では４つの頁であったが、それぞれの頁が縮小され、それら４つの頁単位が、１枚の用紙に集約されて形成されている。
頁単位を左上、右上、左下、右下の順に並べて集約した場合（つまり左上、右上、左下、右下の順に、１頁目、２頁目、３頁目、４頁目と配列された場合）、その頁単位の配列順を「順横方向」という。
頁単位を左上、左下、右上、右下の順に並べて集約した場合（つまり左上、左下、右上、右下の順に、１頁目、２頁目、３頁目、４頁目と配列された場合）、その頁単位の配列順を「順縦方向」という。
頁単位を右上、左上、右下、左下の順に並べて集約した場合（つまり右上、左上、右下、左下の順に、１頁目、２頁目、３頁目、４頁目と配列された場合）、その頁単位の配列順を「逆横方向」という。
頁単位を右上、右下、左上、左下の順に並べて集約した場合（つまり右上、右下、左上、左下の順に、１頁目、２頁目、３頁目、４頁目と配列された場合）、その頁単位の配列順を「逆縦方向」という。
【００２５】
設定処理部２１０（図２）において、設定画面表示部２１２は、集約原稿に関する情報の設定を行うための設定画面をＵＩ装置１３０に表示させる。
図４は、設定画面を例示する図である。
ＵＩ装置１３０には、図４（Ａ）に例示された設定画面が表示される。
設定画面には、分割数と、配列順と、頁単位向きと、両面印刷か否かと、綴じ位置とを設定するためのボタンが表示されている。
ここで、分割数とは、集約画像から頁単位に画像を分割するときに分割される数であって、１枚の用紙に含まれる頁単位の数である。
綴じ位置とは、両面印刷の場合に用紙が綴じられる位置であって、長辺が綴じられる場合は「長辺綴じ」、短辺が綴じられる場合は「短辺綴じ」という。
【００２６】
画像処理装置１の使用者は、ＵＩ装置１３０に表示された設定画面を用いて、集約原稿に関する情報の設定を行う。
例えば、１枚の用紙に２つの頁単位が集約され配列順が順横方向の集約原稿（図３（Ａ）の「順横方向」）であって、長辺綴じの両面印刷の集約原稿から、頁単位に分割して画像データを得る場合を仮定する。
このとき、使用者は、図４（Ａ）に例示された設定画面において、分割数「２」のボタンを押下し、配列順「順横方向」のボタンを押下し、頁単位向き「縦」のボタンを押下し、「両面有り」のボタンを押下し、綴じ位置「長辺綴じ」のボタンを押下する。
【００２７】
また、例えば、１枚の用紙に４つの縦向きの頁単位が集約され配列順が順横方向の集約原稿（図３（Ｂ）の「頁単位向き：縦」の「順横方向」）であって、長辺綴じの両面印刷の集約原稿から、頁単位に分割して画像データを得る場合を仮定する。
このとき、使用者は、図４（Ａ）に例示された設定画面において、分割数「４」のボタンを押下し、配列順「順横方向」のボタンを押下し、頁単位向き「縦」のボタンを押下し、「両面有り」のボタンを押下し、綴じ位置「長辺綴じ」のボタンを押下する。
なお、配列順のボタンは、矢印で示してもよい。
分割数「２」のボタンが押下された場合、図４（Ｂ）に例示するように、縦又は横の矢印で配列順を示したボタンが設定画面に表示されるようにしてもよく、使用者は、順横方向の場合は右向き矢印のボタンを押下するようにしてもよい。
また、分割数「４」のボタンが押下された場合、図４（Ｃ）に例示するように、ジグザグの矢印で配列順を示したボタンが設定画面に表示されるようにしてもよい。
また、分割数「８」のボタンが押下された場合、図４（Ｄ）に例示するように、ジグザグの矢印で配列順を示したボタンが設定画面に表示されるようにしてもよい。
【００２８】
設定受付部２１４（図２）は、ＵＩ装置１３０に表示された設定画面を用いて使用者によって設定された情報（設定情報）を受け付け、原稿読取処理部２２０及び画像データ生成処理部２３０に対して出力する。
原稿読取処理部２２０は、画像読取装置１４０を制御して集約原稿を読み取って、読取データを生成する。
【００２９】
図５は、原稿読取処理部２２０及び画像読取装置１４０の処理を示すフローチャート（Ｓ１０）である。
なお、各ステップの一部はなくてもよく、ステップの順序は、適宜、変更可能である。
ステップ１００（Ｓ１００）において、原稿読取処理部２２０は、分割数Ｎ及び配列順を受け付ける。
ステップ１０２（Ｓ１０２）において、画像読取装置１４０は、集約原稿の１頁目を引き込む。
【００３０】
ステップ１０４（Ｓ１０４）において、原稿読取処理部２２０はＫを初期値（Ｋ＝１）に設定する。
なお、Ｋは、配列順に応じて各頁単位が配列された順序であって、例えば、図３（Ｂ）の例の順横方向の場合、左上の頁単位はＫ＝１であり、右上の頁単位はＫ＝２であり、左下の頁単位はＫ＝３であり、右下の頁単位はＫ＝４である。
ステップ１０６（Ｓ１０６）において、原稿読取処理部２２０は、画像読取装置１４０を制御して、設定されたＫの値に対応する頁単位を読み取らせる。
例えば、Ｋが初期値（Ｋ＝１）の場合、画像読取装置１４０は、Ｋ＝１に対応する頁単位（上記の例では左上の頁単位）が形成された領域を読み取る。
なお、各頁単位が形成された領域を分割領域と称する。
【００３１】
ステップ１０８（Ｓ１０８）において、画像読取装置１４０及び原稿読取処理部２２０は、読み取られて得た頁単位の読取データに対し、必要な画像処理を行う。
具体的には、画像読取装置１４０及び原稿読取処理部２２０は、シェーディング補正、白紙除去（白紙の分割領域を読み取った場合にその読取データを除去すること）、色変換、地色除去、絵文字分離、主走査方向拡大処理、デジタル空間フィルタ処理、及びガンマ補正を行う。
【００３２】
ステップ１１０（Ｓ１１０）において、原稿読取処理部２２０は、読取データに属性情報を追加する。属性情報については後述する。
ステップ１１２（Ｓ１１２）において、原稿読取処理部２２０は、頁単位の読取データ（頁単位読取データ）を蓄積する。
ステップ１１４（Ｓ１１４）において、原稿読取処理部２２０は、Ｋ＝Ｎ（分割数）であるか、つまり、配列順が最後である頁単位を読み取ったか否かを判断する（Ｎ，Ｋは１以上の整数）。
Ｋ＝Ｎでない場合、つまり、その集約原稿の頁においてまだ読み取っていない頁単位が有る場合、処理はＳ１１６に進み、Ｋ＝Ｎである場合、処理はＳ１１８に進む。
【００３３】
ステップ１１６（Ｓ１１６）において、Ｋの値を１つ増加させ、Ｓ１０６に進む。
ステップ１１８（Ｓ１１８）において、原稿読取処理部２２０は、画像読取装置１４０によって引き込まれている頁が集約原稿の最後の頁であるか否かを判断し、最後の頁でない場合、処理はＳ１２０に進み、最後の頁である場合、処理を終了する。
ステップ１２０（Ｓ１２０）において、画像読取装置１４０は、集約原稿の次の頁を引き込み、Ｓ１０４に進む。
【００３４】
読取データ取得部２２２（図２）は、上記の処理によって得られた読取データを取得して、画像データ生成処理部２３０の頁単位順序決定部２３２に対して出力する。
図６は、読取データを例示する図である。
図６に示すように、読取データは、各頁単位に対応する頁単位読取データ＃１〜＃Ｍ（Ｍは１以上の整数）を含む。
また、各頁単位読取データは、頁単位の画像を示す頁単位画像データと、頁単位画像データの属性を示す属性情報とを含む。
【００３５】
さらに、属性情報は、読取順情報と、集約原稿頁情報と、集約原稿表裏情報と、分割領域位置情報とを含む。
分割領域位置情報は、対応する頁単位が配置されていた分割領域の位置を示し、例えば、配列順に対応する順序に対応する。
例えば、図３（Ｂ）の配列順「順横方向」の例では、左上に配置された頁単位では、分割領域位置情報は「分割領域位置１」であり、右下に配置された頁単位では、分割領域位置情報は「分割領域位置４」である。
【００３６】
集約原稿頁情報は、対応する頁単位が配置されていた集約原稿における頁を示す。
集約原稿表裏情報は、対応する頁単位が配置されていた集約原稿における頁が、表頁であったか裏頁であったかを示す。
なお、奇数頁が表頁であり偶数頁が裏頁である場合、集約原稿表裏情報は、なくてもよい。
【００３７】
読取順情報は、集約原稿全体において、対応する頁単位が読み取られた順序を示す情報であって、頁単位読取データ＃ｍ（ｍは１以上Ｍ以下の整数）の読取順情報は「ｍ番目」である。
例えば、分割数４の集約原稿の１頁目の「分割領域位置１」に配置されていた頁単位では、読取順情報は、「１番目」を示し、分割数４の集約原稿の２頁目の「分割領域位置１」に配置されていた頁単位では、読取順情報は、「５番目」を示す。
なお、後述するように、読取順情報は、元原稿における正しい順序を表していない（つまり頁単位の順序が入れ替わっている）可能性がある。
さらに、頁単位画像データは、上下が反転している頁単位画像を示している可能性がある。
【００３８】
図７及び図８は、頁単位読取データの順序入れ替え及び上下反転を説明する図である。
図７には、分割数２の場合が例示されている。
配列順「順横方向」、綴じ位置「短辺綴じ」の場合、集約原稿の１頁目（表頁）において、左側（分割領域位置１）に元原稿の１頁目の頁単位が配置され、右側（分割領域位置２）に元原稿の２頁目の頁単位が配置されている。また、集約原稿の２頁目（裏頁）において、左側（分割領域位置１）に元原稿の３頁目の頁単位が配置され、右側（分割領域位置２）に元原稿の４頁目の頁単位が配置されている。
このとき、集約原稿の２頁目（裏頁）において、頁単位の順序は入れ替わっておらず、頁単位の上下は反転していない。
したがって、この場合、例えば、頁単位読取データ＃１の頁単位画像データは、元原稿の１頁目の頁単位の、上下反転されていない画像を示し、頁単位読取データ＃３の頁単位画像データは、元原稿の３頁目の頁単位の、上下反転されていない画像を示す。
【００３９】
一方、配列順「順横方向」、綴じ位置「長辺綴じ」の場合、集約原稿の１頁目（表頁）において、左側（分割領域位置１）に元原稿の１頁目の頁単位が配置され、右側（分割領域位置２）に元原稿の２頁目の頁単位が配置されているが、集約原稿の２頁目（裏頁）において、左側（分割領域位置１）に元原稿の４頁目の頁単位が上下反転して配置され、右側（分割領域位置２）に元原稿の３頁目の頁単位が上下反転して配置されている。
このとき、集約原稿の２頁目（裏頁）において、頁単位の順序が入れ替わっており、さらに、頁単位の上下が反転している。
したがって、この場合、例えば、頁単位読取データ＃１の頁単位画像データは、元原稿の１頁目の頁単位の、上下反転されていない画像を示すが、頁単位読取データ＃３の頁単位画像データは、元原稿の４頁目の頁単位の、上下反転されている画像を示し、頁単位読取データ＃４の頁単位画像データは、元原稿の３頁目の頁単位の、上下反転されている画像を示す。
【００４０】
同様に、配列順「順縦方向」、綴じ位置「長辺綴じ」の場合、集約原稿の１頁目（表頁）において、上側（分割領域位置１）に元原稿の１頁目の頁単位が配置され、下側（分割領域位置２）に元原稿の２頁目の頁単位が配置されている。また、集約原稿の２頁目（裏頁）において、上側（分割領域位置１）に元原稿の３頁目の頁単位が配置され、下側（分割領域位置２）に元原稿の４頁目の頁単位が配置されている。
このとき、集約原稿の２頁目（裏頁）において、頁単位の順序は入れ替わっておらず、頁単位の上下は反転していない。
したがって、この場合、例えば、頁単位読取データ＃１の頁単位画像データは、元原稿の１頁目の頁単位の、上下反転されていない画像を示し、頁単位読取データ＃３の頁単位画像データは、元原稿の３頁目の頁単位の、上下反転されていない画像を示す。
【００４１】
一方、配列順「順縦方向」、綴じ位置「短辺綴じ」の場合、集約原稿の１頁目（表頁）において、上側（分割領域位置１）に元原稿の１頁目の頁単位が配置され、下側（分割領域位置２）に元原稿の２頁目の頁単位が配置されているが、集約原稿の２頁目（裏頁）において、上側（分割領域位置１）に元原稿の４頁目の頁単位が上下反転して配置され、下側（分割領域位置２）に元原稿の３頁目の頁単位が上下反転して配置されている。
このとき、集約原稿の２頁目（裏頁）において、頁単位の順序が入れ替わっており、さらに、頁単位の上下が反転している。
したがって、この場合、例えば、頁単位読取データ＃１の頁単位画像データは、元原稿の１頁目の頁単位の、上下反転されていない画像を示すが、頁単位読取データ＃３の頁単位画像データは、元原稿の４頁目の頁単位の、上下反転されている画像を示し、頁単位読取データ＃４の頁単位画像データは、元原稿の３頁目の頁単位の、上下反転されている画像を示す。
【００４２】
図８には、分割数４の場合が例示されている。
配列順「順横方向」、頁単位向き「縦」、綴じ位置「長辺綴じ」の場合、集約原稿の１頁目（表頁）において、左上（分割領域位置１）に元原稿の１頁目の頁単位が配置され、右上（分割領域位置２）に元原稿の２頁目の頁単位が配置され、左下（分割領域位置３）に元原稿の３頁目の頁単位が配置され、右下（分割領域位置４）に元原稿の４頁目の頁単位が配置されている。
また、集約原稿の２頁目（裏頁）において、左上（分割領域位置１）に元原稿の５頁目の頁単位が配置され、右上（分割領域位置２）に元原稿の６頁目の頁単位が配置され、左下（分割領域位置３）に元原稿の７頁目の頁単位が配置され、右下（分割領域位置４）には白紙が配置されている。
このとき、集約原稿の２頁目（裏頁）において、頁単位の順序は入れ替わっておらず、頁単位の上下は反転していない。
したがって、この場合、例えば、頁単位読取データ＃１の頁単位画像データは、元原稿の１頁目の頁単位の、上下反転されていない画像を示し、頁単位読取データ＃５の頁単位画像データは、元原稿の５頁目の頁単位の、上下反転されていない画像を示す。
【００４３】
一方、配列順「順横方向」、頁単位向き「縦」、綴じ位置「短辺綴じ」の場合、集約原稿の１頁目（表頁）においては、「長辺綴じ」の場合と同じ配列で頁単位が配置されている。
しかしながら、集約原稿の２頁目（裏頁）において、左上（分割領域位置１）には白紙が配置され、右上（分割領域位置２）に元原稿の７頁目の頁単位が配置され、左下（分割領域位置３）に元原稿の６頁目の頁単位が配置され、右下（分割領域位置４）に元原稿の５頁目の頁単位が配置されている。
このとき、集約原稿の２頁目（裏頁）において、頁単位の順序が入れ替わっており、さらに、頁単位の上下が反転している。
したがって、この場合、例えば、頁単位読取データ＃１の頁単位画像データは、元原稿の１頁目の頁単位の、上下反転されていない画像を示すが、頁単位読取データ＃５の頁単位画像データは、元原稿の７頁目の頁単位の、上下反転されていない画像を示す。なお、左上（分割領域位置１）に配置されていた白紙は除去されている。
【００４４】
同様に、配列順「順横方向」、頁単位向き「横」、綴じ位置「短辺綴じ」の場合、集約原稿の１頁目（表頁）において、左上（分割領域位置１）に元原稿の１頁目の頁単位が配置され、右上（分割領域位置２）に元原稿の２頁目の頁単位が配置され、左下（分割領域位置３）に元原稿の３頁目の頁単位が配置され、右下（分割領域位置４）に元原稿の４頁目の頁単位が配置されている。
また、集約原稿の２頁目（裏頁）において、左上（分割領域位置１）に元原稿の５頁目の頁単位が配置され、右上（分割領域位置２）に元原稿の６頁目の頁単位が配置され、左下（分割領域位置３）に元原稿の７頁目の頁単位が配置され、右下（分割領域位置４）には白紙が配置されている。
このとき、集約原稿の２頁目（裏頁）において、頁単位の順序は入れ替わっておらず、頁単位の上下は反転していない。
したがって、この場合、例えば、頁単位読取データ＃１の頁単位画像データは、元原稿の１頁目の頁単位の、上下反転されていない画像を示し、頁単位読取データ＃５の頁単位画像データは、元原稿の５頁目の頁単位の、上下反転されていない画像を示す。
【００４５】
一方、配列順「順横方向」、頁単位向き「横」、綴じ位置「長辺綴じ」の場合、集約原稿の１頁目（表頁）においては、「短辺綴じ」の場合と同じ配列で頁単位が配置されている。
しかしながら、集約原稿の２頁目（裏頁）において、左上（分割領域位置１）には白紙が配置され、右上（分割領域位置２）に元原稿の７頁目の頁単位が配置され、左下（分割領域位置３）に元原稿の６頁目の頁単位が配置され、右下（分割領域位置４）に元原稿の５頁目の頁単位が配置されている。
このとき、集約原稿の２頁目（裏頁）において、頁単位の順序が入れ替わっており、さらに、頁単位の上下が反転している。
したがって、この場合、例えば、頁単位読取データ＃１の頁単位画像データは、元原稿の１頁目の頁単位の、上下反転されていない画像を示すが、頁単位読取データ＃５の頁単位画像データは、元原稿の７頁目の頁単位の、上下反転されていない画像を示す。なお、左上（分割領域位置１）に配置されていた白紙は除去されている。
【００４６】
頁単位順序決定部２３２（図２）は、順序決定テーブル格納部２３４に格納されている順序決定テーブルを用いて、読取データに含まれる頁単位読取データの順序を決定する。
なお、順序決定テーブル格納部２３４に格納されている順序決定テーブルは、画像処理装置１の管理者等が例えばＵＩ装置１３０を操作することによって、適宜、修正可能である。
頁単位並び替え部２３６は、頁単位順序決定部２３２によって決定された順序に従って、頁単位読取データの順序を、元原稿における頁単位の順（つまり正しい順）に並び替え、並び替えた読取データを、上下反転決定部２３８に対して出力する。
【００４７】
図９〜図１１は、順序決定テーブル格納部２３４に格納されている順序決定テーブルを例示する図である。
図９に例示するように、順序決定テーブルは、分割数及び配列順ごとにそれぞれ設けられている。
図１０には、分割数「２」、配列順「順横方向」の「２分割・順横方向テーブル」が例示されている。
２分割・順横方向テーブルは、綴じ位置及び集約原稿表裏に応じて、分割領域位置ごとに、頁単位順序入力値が設定されている。
【００４８】
ここで、頁単位順序入力値は、頁単位を正しい順序に並び替えるための値である。
例えば、綴じ位置「長辺綴じ」の場合、集約原稿の表頁においては、分割領域位置１には頁単位順序入力値「１」が設定され、分割領域位置２には頁単位順序入力値「２」が設定されている。
また、集約原稿の裏頁においては、分割領域位置１には頁単位順序入力値「２」が設定され、分割領域位置２には頁単位順序入力値「１」が設定されている。
【００４９】
図１１には、分割数「４」、配列順「順横方向」の「４分割・順横方向テーブル」が例示されている。
４分割・順横方向テーブルは、綴じ位置、頁単位向き及び集約原稿表裏に応じて、分割領域位置ごとに、頁単位順序入力値が割り当てられている。
例えば、綴じ位置「短辺綴じ」、頁単位向き「縦」の場合、集約原稿の表頁においては、分割領域位置１には頁単位順序入力値「１」が設定され、分割領域位置２には頁単位順序入力値「２」が設定され、分割領域位置３には頁単位順序入力値「３」が設定され、分割領域位置４には頁単位順序入力値「４」が設定されている。
また、集約原稿の裏頁においては、分割領域位置１には頁単位順序入力値「４」が設定され、分割領域位置２には頁単位順序入力値「３」が設定され、分割領域位置３には頁単位順序入力値「２」が設定され、分割領域位置４には頁単位順序入力値「１」が設定されている。
【００５０】
図１２は、頁単位順序決定部２３２及び頁単位並び替え部２３６の処理の具体例を説明するための図である。
図１２においては、集約原稿において、分割数「４」、配列順「順横方向」、綴じ位置「短辺綴じ」、頁単位向き「縦」（図８参照）であって、頁単位数「２３」の場合を例示する。
頁単位順序決定部２３２は、設定受付部２１４から、分割数「４」、配列順「順横方向」、綴じ位置「短辺綴じ」、頁単位向き「縦」を示す設定情報を受け付ける。
さらに、頁単位順序決定部２３２は、受け付けた設定情報に対応する順序決定テーブルを、順序決定テーブル格納部２３４から取得する。
上記例の場合、頁単位順序決定部２３２は、「４分割・順横方向テーブル」（図１１）の綴じ位置「短辺綴じ」、頁単位向き「縦」のテーブルを取得する。
また、頁単位順序決定部２３２は、各頁単位読取データについて、以下の式（１）に基づいて、頁単位順序値を割り当てる。
（１）［頁単位順序値］＝（［集約原稿頁］−１）×（分割数）＋［頁単位順序入力値］
【００５１】
以下、図１２を用いて具体的に説明する。
まず、頁単位順序決定部２３２は、読取データから、頁単位読取データ＃１を取り出す。
頁単位読取データ＃１の属性情報（図６）において、集約原稿頁情報は「１頁目」を示し、集約原稿表裏情報は「表頁」を示し、分割領域位置情報は「分割領域位置１」を示す。
表頁における分割領域位置１の頁単位順序入力値は「１」なので、頁単位読取データ＃１の頁単位順序値は、（１−１）×４＋１＝１である。
したがって、頁単位順序決定部２３２は、頁単位読取データ＃１に、頁単位順序値「１」を割り当てる。
同様に、頁単位順序決定部２３２は、頁単位読取データ＃２〜＃４を取り出して、それぞれ、頁単位順序値「２」〜「４」を割り当てる。
【００５２】
次に、頁単位順序決定部２３２は、読取データから、頁単位読取データ＃５を取り出す。
頁単位読取データ＃５の属性情報において、集約原稿頁情報は「２頁目」を示し、集約原稿表裏情報は「裏頁」を示し、分割領域位置情報は「分割領域位置１」を示す。
裏頁における分割領域位置１の頁単位順序入力値は「４」なので、頁単位読取データ＃５の頁単位順序値は、（２−１）×４＋４＝８である。
したがって、頁単位順序決定部２３２は、頁単位読取データ＃５に、頁単位順序値「８」を割り当てる。
【００５３】
次に、頁単位順序決定部２３２は、読取データから、頁単位読取データ＃６を取り出す。
頁単位読取データ＃６の属性情報において、集約原稿頁情報は「２頁目」を示し、集約原稿表裏情報は「裏頁」を示し、分割領域位置情報は「分割領域位置２」を示す。
裏頁における分割領域位置２の頁単位順序入力値は「３」なので、頁単位読取データ＃５の頁単位順序値は、（２−１）×４＋３＝７である。
したがって、頁単位順序決定部２３２は、頁単位読取データ＃６に、頁単位順序値「７」を割り当てる。
【００５４】
同様に、頁単位順序決定部２３２は、頁単位読取データ＃７，＃８を取り出して、それぞれ、頁単位順序値「６」，「５」を割り当てる。
以下、同様にして、頁単位順序決定部２３２は、頁単位読取データ＃９〜＃２０に対して、図１２に示す頁単位順序値を割り当てる。
【００５５】
さらに、頁単位順序決定部２３２は、読取データから、頁単位読取データ＃２１を取り出す。
頁単位読取データ＃２１の属性情報において、集約原稿頁情報は「６頁目」を示し、集約原稿表裏情報は「裏頁」を示し、分割領域位置情報は「分割領域位置２」を示す。
ここで、頁単位読取データ＃２１の分割領域位置情報が「分割領域位置２」であるのは、分割領域位置１には白紙が配置されており、分割領域位置１に対応する頁単位がないからである。
裏頁における分割領域位置２の頁単位順序入力値は「３」なので、頁単位読取データ＃２１の頁単位順序値は、（６−１）×４＋３＝２３である。
したがって、頁単位順序決定部２３２は、頁単位読取データ＃２１に、頁単位順序値「２３」を割り当てる。
【００５６】
また、頁単位順序決定部２３２は、読取データから、頁単位読取データ＃２２を取り出す。
頁単位読取データ＃２２の属性情報において、集約原稿頁情報は「６頁目」を示し、集約原稿表裏情報は「裏頁」を示し、分割領域位置情報は「分割領域位置３」を示す。
裏頁における分割領域位置３の頁単位順序入力値は「２」なので、頁単位読取データ＃２２の頁単位順序値は、（６−１）×４＋２＝２２である。
したがって、頁単位順序決定部２３２は、頁単位読取データ＃２２に、頁単位順序値「２２」を割り当てる。
【００５７】
最後に、頁単位順序決定部２３２は、読取データから、頁単位読取データ＃２３を取り出す。
頁単位読取データ＃２３の属性情報において、集約原稿頁情報は「６頁目」を示し、集約原稿表裏情報は「裏頁」を示し、分割領域位置情報は「分割領域位置４」を示す。
裏頁における分割領域位置４の頁単位順序入力値は「１」なので、頁単位読取データ＃２３の頁単位順序値は、（６−１）×４＋１＝２１である。
したがって、頁単位順序決定部２３２は、頁単位読取データ＃２３に、頁単位順序値「２１」を割り当てる。
【００５８】
頁単位並び替え部２３６は、頁単位読取データ＃１〜＃２３を、図１２に示すように並び替える。
頁単位読取データ＃５，＃６，＃７，＃８には、それぞれ、頁単位順序値「８」，「７」，「６」，「５」が割り当てられているので、頁単位並び替え部２３６は、頁単位読取データ＃５，＃６，＃７，＃８を、それぞれ、８番目、７番目、６番目、５番目に並び替える。
同様に、頁単位並び替え部２３６は、頁単位読取データ＃１３〜＃１６、＃２１〜＃２３の順序を並び替える。
【００５９】
上下反転決定部２３８（図２）は、反転決定テーブル格納部２４０に格納されている反転決定テーブルを用いて、上下反転が必要な頁単位画像データを含む頁単位読取データを決定する。
なお、反転決定テーブル格納部２４０に格納されている反転決定テーブルは、画像処理装置１の管理者等が例えばＵＩ装置１３０を操作することによって、適宜、修正可能である。
上下反転部２４２は、上下反転決定部２３８によって決定された頁単位読取データに含まれる頁単位画像データに対して、上下が反転されるように（つまり正しい向きになるように）処理する。
【００６０】
図１３は、反転決定テーブル格納部２４０に格納されている反転決定テーブルを例示する図である。
図１３に例示するように、反転決定テーブルは、分割数、綴じ位置及び頁単位向きごとにそれぞれ設けられている。
例えば、分割数「２」、綴じ位置「長辺綴じ」、頁単位向き「縦」の場合、集約原稿の表頁に配置されていた頁単位については、上下反転処理は不要だが、集約原稿の裏頁に配置されていた頁単位については、上下反転処理が必要である。
また、例えば、分割数「４」、綴じ位置「短辺綴じ」、頁単位向き「縦」の場合、集約原稿の表頁に配置されていた頁単位については、上下反転処理は不要だが、集約原稿の裏頁に配置されていた頁単位については、上下反転処理が必要である。
【００６１】
図１２の例では、集約原稿において、分割数「４」、綴じ位置「短辺綴じ」、頁単位向き「縦」であるので、集約原稿の裏頁に配置されていた頁単位については、上下反転処理が必要である。
ここで、頁単位読取データ＃５〜＃８、＃１３〜１６、＃２１〜＃２３の集約原稿裏表情報が「裏頁」を示すので、上下反転部２４２は、頁単位読取データ＃５〜＃８、＃１３〜１６、＃２１〜＃２３に含まれる頁単位画像データに対し、上下反転処理を行う。
【００６２】
図１４は、図１２の例における画像データ生成処理部２３０の処理の流れを説明する図である。
図１４（Ａ）に示すように、原稿読取処理部２２０によって、集約原稿から各頁単位が読み取られ、図１４（Ｂ）に示す読取データが得られる。
ここで、図１４（Ｂ）の「１」，「２」，「３」，「４」は、それぞれ、頁単位読取データ＃１〜＃４の頁単位画像データを示し、上下反転した「８」，「７」，「６」，「５」は、それぞれ、頁単位読取データ＃５〜＃８の頁単位画像データを示す。
頁単位並び替え部２３６は、上述したように頁単位読取データ＃５〜＃８を入れ替えることによって、頁単位の順序は元原稿の順序通り（つまり正しい順序）となったが、上下の向きが正しくない。
上下反転部２４２が、上述したように頁単位読取データ＃５〜＃８の頁単位画像データに対して上下反転処理を行うことによって、図１４（Ｄ）に示すような、正しい順序で並んだ正しい向きの頁単位が生成される。
【００６３】
画像データ生成部２４４（図２）は、頁単位読取データに含まれる属性情報を除去し、新たな識別子（頁単位の正しい順序に基づくもの）を付与する等の処理を施す。
さらに、画像データ生成部２４４は、正しい向きの頁単位を１つの頁とし、これらの頁単位が正しい順序で並んだ画像データを生成し、画像データ格納部２６０に格納する。
画像形成処理部２６２は、印刷装置１５０を制御して、画像データを用紙（記録媒体）に形成するための処理を行う。
【００６４】
［変形例１］
集約原稿が製本綴じ原稿である場合について説明する。
製本綴じとは、例えば旅行のしおり（小冊子）を作成する場合に、１枚の用紙に複数の頁単位を印刷し、それを折り畳むことによって、コンパクト化することができる。
図１５は、製本綴じ原稿を説明するための図である。
また、図１６は、製本綴じ原稿の場合の順序決定テーブル及び反転決定テーブルを例示する図である。
【００６５】
図１５（Ａ）に示すような、分割数「８」、配列順「順横方向」、頁単位向き「縦」の製本綴じ原稿の場合、太線部に切れ込みを入れ、破線部を谷折り、一点鎖線部を山折りにすると、「１」〜「８」をそれぞれ１頁〜８頁とする小冊子が作成される。
ここで、設定画面表示部２１２によって表示された設定画面で分割数「８」が設定された場合、「製本綴じ」の設定ボタンを表示して、使用者がそのボタンを押下して製本綴じ原稿を読み取らせると、図１５（Ｂ）に示した頁単位画像データを含む読取データが得られる。
ここで、図１５（Ｂ）の上下反転した「１」，「８」，「７」，「６」は、それぞれ、頁単位読取データ＃１〜＃４の頁単位画像データを示し、「２」，「３」，「４」，「５」は、それぞれ、頁単位読取データ＃５〜＃８の頁単位画像データを示す。
【００６６】
このとき、頁単位読取データ＃１〜＃８の分割領域位置は、それぞれ、「分割領域位置１」〜「分割領域位置８」である。
頁単位順序決定部２３２は、図１６に例示したテーブルを参照して、頁単位読取データ＃１〜＃８に、それぞれ、頁単位順序入力値「１」，「８」，「７」，「６」，「２」，「３」，「４」，「５」を割り当てる。
頁単位並び替え部２３６は、割り当てられた頁単位順序入力値に応じて、頁単位読取データ＃１〜＃８を並び替える。
上下反転決定部２３８は、図１６に例示したテーブルを参照して、頁単位読取データ＃１〜＃４（「１」，「８」，「７」，「６」）について上下反転が必要であると決定し、上下反転部２４２は、頁単位読取データ＃１〜＃４の頁単位画像データに対して、上下反転処理を行う。
以上の処理により、図１５（Ｃ）に示すような、正しい順序で並んだ正しい向きの頁単位が生成される。
【００６７】
［変形例２］
上述した実施形態においては、設定処理部２１０は、使用者がＵＩ装置１３０を操作して入力された設定を用いて設定するとしたが、使用者が入力するのではなく、集約原稿から自動で設定してもよい。
例えば、各頁単位に何頁目化を示す頁数が付されている場合、その頁数を読み取ることによって、頁単位の配列順を設定し、分割数を設定してもよい。
さらに、ＯＣＲ（Optical Character Recognition）処理等によって頁単位に含まれる文字の上下を認識することによって、頁単位向きを設定してもよい。
さらに、１枚の用紙に印刷された頁単位の向きの異同を認識することによって、綴じ位置を設定してもよい。
【００６８】
また、上述した実施形態においては、分割数（集約原稿の１頁に含まれる頁単位数）の例として２，４，８，１６を挙げたが、これらの数に限定されず、例えば分割数９であってもよい。
また、上述した実施形態においては、設定された分割数及び配列順に応じて、画像読取装置１４０が集約原稿の１頁から頁単位ごとに読み取るとしたが、画像読取装置１４０は、集約原稿の１頁全部を読み取り、得られた読取データを、設定された分割数及び配列順に応じて、頁単位ごとに分割してもよい。
【符号の説明】
【００６９】
１・・・画像処理装置
１３０・・・ＵＩ装置
１４０・・・画像読取装置
１５０・・・印刷装置
２０・・・画像処理プログラム
２１０・・・設定処理部
２１２・・・設定画面表示部
２１４・・・設定受付部
２２０・・・原稿読取処理部
２２２・・・読取データ取得部
２３０・・・画像データ生成処理部
２３２・・・頁単位順序決定部
２３４・・・順序決定テーブル格納部
２３６・・・頁単位並び替え部
２３８・・・上下反転決定部
２４０・・・反転決定テーブル格納部
２４２・・・上下反転部
２４４・・・画像データ生成部
２６０・・・画像データ格納部
２６２・・・画像形成処理部
【図１】
2014045327.tif 000003
【図２】
2014045327.tif 000004
【図３】
2014045327.tif 000005
【図４】
2014045327.tif 000006
【図５】
2014045327.tif 000007
【図６】
2014045327.tif 000008
【図７】
2014045327.tif 000009
【図８】
2014045327.tif 000010
【図９】
2014045327.tif 000011
【図１０】
2014045327.tif 000012
【図１１】
2014045327.tif 000013
【図１２】
2014045327.tif 000014
【図１３】
2014045327.tif 000015
【図１４】
2014045327.tif 000016
【図１５】
2014045327.tif 000017
【図１６】
2014045327.tif 000018